(57)【要約】【課題】従来は、周囲の人間に悟られることなく、特定の対象者のみに緊急通報や援助要請を行う際に、どのような内容の緊急通報や援助要請であるかの識別、判定を特定の対象者に行わせることは困難である。【解決手段】制御部１２は、特定のキー押下後の各キー入力パターンで、内蔵のメモリの操作対明滅パターン対応テーブルを参照し、キー入力パターンに対応した明滅パターン情報を読み出し、その明滅パターン情報の各語に対応した符号列を明滅情報の符号テーブルから取得する。続いて、制御部１２は、撮影補助光源１７を駆動制御し、上記の符号列に応じた明滅を行わせる。これにより、例えば、１１０番の発信操作入力を行った時は、モールス符号でＳＯＳの文字列を示す明滅が撮影補助光源１７を利用して行われる。これにより、特定の対象者のみに緊急通報や援助要請を内容を含めて簡単な操作で送信することができる。【選択図】　　　　　　図１
2004088288.tif 000002
【特許請求の範囲】
【請求項１】
撮像部と、その撮像部が撮像する被写体を照射する撮影補助光源とを備えた携帯電話装置において、
前記撮影補助光源を、入力される符号パターンに従って明滅させる明滅手段と、
特定の発信操作入力情報に対応した内容の情報を、前記符号パターンの組合せとして置き換える置き換え手段と、
特定の発信操作を検出したときは、前記特定の発信操作と共に入力される前記特定の発信操作入力情報に基づき、前記置き換え手段により該特定の発信操作入力情報に対応した前記符号パターンの組合せを取得し、その取得した符号パターンを前記明滅手段に入力して、前記撮影補助光源を明滅させる制御手段と
を有することを特徴とする携帯電話装置。
【請求項２】
前記制御手段により前記撮影補助光源の明滅制御を開始した後に、特定の停止操作入力があったかどうか検出し、該特定の停止操作入力を検出するまで、前記制御手段による前記撮影補助光源の明滅制御を繰り返し行わせる停止制御手段を更に有することを特徴とする請求項１記載の携帯電話装置。
【請求項３】
前記制御手段により前記撮影補助光源の明滅制御を開始した後は、装置電源をオフとしない限り、操作では前記制御手段による前記撮影補助光源の明滅制御を停止しないように制御する不停止制御手段を更に有することを特徴とする請求項１記載の携帯電話装置。
【請求項４】
前記符号パターンは、信号の有無により文字を表現する信号パターンであることを特徴とする請求項１記載の携帯電話装置。
【請求項５】
前記特定の発信操作入力情報は緊急発信電話番号であり、前記特定の発信操作入力情報に対応した前記符号パターンの組合せは、前記緊急発信電話番号に対応した救難情報の文字列を信号の有無で示すパターンであり、前記制御手段は、前記撮影補助光源により光で前記救難情報の文字列を発信させることを特徴とする請求項１乃至４のうちいずれか一項記載の携帯電話装置。
【請求項６】
前記特定の発信操作入力情報は任意に設定入力された発信電話番号であり、前記特定の発信操作入力情報に対応した前記符号パターンの組合せは、前記任意に設定入力された発信電話番号に対応した文字列を信号の有無で示すパターンであり、前記制御手段は、前記撮影補助光源により光で前記文字列を発信させることを特徴とする請求項１乃至４のうちいずれか一項記載の携帯電話装置。
【発明の詳細な説明】
【０００１】
【発明の属する技術分野】
本発明は携帯電話装置に係り、特にカメラとその撮影補助光源を備えた携帯電話装置に関する。
【０００２】
【従来の技術】
近年、携帯電話装置はその便利性及び多機能性などから急速に普及しており、電話通信機能だけでなく、電子メール機能や撮影機能を備えたものが市場に広く出回っている。かかる携帯電話装置の通信機能を用いれば、山岳遭難などの場合に救助要請を発信することができるが、特に夜間などにおいては遭難者の位置の特定が救助者にとって困難である。
【０００３】
そこで、従来、停電時等で使用するための非常ライトを備えた携帯電話装置において、非常ライトを警報を発するために使用する携帯電話装置が知られている（特開２００２−２７０４６号公報）。この従来の携帯電話装置では、警報発生時は携帯電話装置のメニュー画面で操作して、非常ライトを光のＳＯＳ信号を発生するために使用することにより、他人に居場所等を知らせることができ、よって、上記の夜間の山岳遭難時でも、救助者に対して遭難者の存在位置の特定が簡単にできる。
【０００４】
【発明が解決しようとする課題】
しかしながら、上記の従来の携帯電話装置では、単に光で警報を発するだけであるため、例えば、声や警報音を発信できないような状況下での事件に遭遇した場合、あるいは緊急通報するまでもないが、援助が必要なことを特定の対象者にのみ要請したい場合に、周囲の人間に悟られることなく、特定の対象者のみに緊急通報や援助要請を行う際に、どのような内容の緊急通報であるのか、あるいは緊急通報ではなく援助要請であるかの識別、判定を特定の対象者に行わせることは困難である。
【０００５】
また、山岳遭難では懐中電灯などの光源でも、遭難者の存在位置の特定は可能であるが、意味のある情報を伝達するためには、モールス符号などを習熟し、かつ、適切な光源操作をしなければならず、緊急時などにおいては実際には実現困難である。
【０００６】
本発明は以上の点に鑑みなされたもので、簡便な操作により撮影補助光源を利用して、誰にでも所望の情報を発信し得る携帯電話装置を提供することを目的とする。
【０００７】
また、本発明の他の目的は、通話圏外又は通信可能手段を持たない相手に任意の電文を送信し得る携帯電話装置を提供することにある。
【０００８】
【課題を解決するための手段】
本発明は上記の目的を達成するため、撮像部と、その撮像部が撮像する被写体を照射する撮影補助光源とを備えた携帯電話装置において、撮影補助光源を、入力される符号パターンに従って明滅させる明滅手段と、特定の発信操作入力情報に対応した内容の情報を、符号パターンの組合せとして置き換える置き換え手段と、特定の発信操作を検出したときは、特定の発信操作と共に入力される特定の発信操作入力情報に基づき、置き換え手段により特定の発信操作入力情報に対応した符号パターンの組合せを取得し、その取得した符号パターンを明滅手段に入力して、撮影補助光源を明滅させる制御手段とを有する構成としたものである。
【０００９】
この発明では、特定の発信操作を検出したときは、特定の発信操作と共に入力される特定の発信操作入力情報に対応した符号パターンの組合せの内容を編集して取得し、その取得した符号パターンにより撮影補助光源を明滅させるようにしたため、特定の発信操作を行うと、その特定の発信操作入力情報に対応した内容の情報を、撮影補助光源の明滅により送信することができる。
【００１０】
また、上記の目的を達成するため、本発明は、制御手段により撮影補助光源の明滅制御を開始した後に、特定の停止操作入力があったかどうか検出し、特定の停止操作入力を検出するまで、制御手段による撮影補助光源の明滅制御を繰り返し行わせる停止制御手段を更に有することを特徴とする。この発明では、特定の停止操作入力により撮影補助光源の明滅動作を終了させることができる。
【００１１】
また、上記の目的を達成するため、本発明は、制御手段により撮影補助光源の明滅制御を開始した後は、装置電源をオフとしない限り、操作では制御手段による撮影補助光源の明滅制御を停止しないように制御する不停止制御手段を更に有することを特徴とする。この発明では、装置電源をオフとすることにより、撮影補助光源の明滅動作を終了させることができる。
【００１２】
また、上記の目的を達成するため、本発明は、上記の符号パターンを、信号の有無により文字を表現する信号パターンとしたことを特徴とする。この発明では、符号パターンをモールス符号のような信号の有無により文字を表現する信号パターンとする。
【００１３】
また、上記の目的を達成するため、本発明は、上記の特定の発信操作入力情報を緊急発信電話番号とし、特定の発信操作入力情報に対応した符号パターンの組合せは、緊急発信電話番号に対応した救難情報の文字列を信号の有無で示すパターンとし、制御手段は、撮影補助光源により光で救難情報の文字列を発信させることを特徴とする。この発明では、緊急発信電話番号に対応した救難情報の文字列を撮影補助光源により光で発信することができる。
【００１４】
また、上記の目的を達成するため、本発明は、上記の特定の発信操作入力情報を任意に設定入力された発信電話番号とし、上記の特定の発信操作入力情報に対応した符号パターンの組合せを、任意に設定入力された発信電話番号に対応した文字列を信号の有無で示すパターンとし、制御手段は、撮影補助光源により光で文字列を発信させることを特徴とする。この発明では、任意に設定入力された発信電話番号に対応した文字列を、符号パターンの組合せを編集して生成することができ、その文字列を撮影補助光源により光で発信することができる。
【００１５】
【発明の実施の形態】
次に、本発明の実施の形態について図面と共に説明する。図１は本発明になる携帯電話装置の一実施の形態のブロック図を示す。同図において、アンテナ１０は無線部、モデム、コーデック１１を介して制御部１２に接続されている。無線部、モデム、コーデック１１は、従来と同様に、送信音声信号等は変調し、所定の周波数帯の送信信号に変換してアンテナ１０により基地局（図示せず）へ送信し、アンテナ１０を介して受信した信号は、復調してベースバンド帯の受信音声信号等を得て制御部１２へ出力する。
【００１６】
制御部１２はこの携帯電話装置全体を統括的に制御する回路部で、メモリ等を内蔵しており、後述する本発明の特有の制御動作も行う。マイク、レシーバ１３は、送信音声をマイクにより収音して電気信号である送信音声信号に変換して制御部１２へ出力し、また制御部１２からの受信音声信号はレシーバにより電気−音響変換して受話音声として発音する。
【００１７】
表示部１４は、制御部１２からの制御に基づき、ダイヤル番号、メール文書その他必要な文字や記号を表示する。操作部１５は、複数のダイヤルキー、数字キー、発信キー、切断キー等を有することは勿論のこと、本実施の形態の特有の後述する補助光源明滅用の特定キーを備えている。
【００１８】
撮像部１６は、所望の被写体を撮像し、その撮像信号を制御部１２に供給する。撮影補助光源１７は、撮像部１６が撮像する被写体を照射するための光を発する光源であり、ここでは制御部１２の制御に基づき、通常のフラッシュ光を発光できるだけでなく、明滅制御も可能な発光素子（例えば発光ダイオード等）による光源とされている。
【００１９】
制御部１２に内蔵されたメモリには、撮像補助光源１７の明滅処理のためのプログラムが格納されており、更に操作部１５による操作入力情報と明滅パターン情報とが対応付けて記憶された、図２（Ａ）に示す操作対明滅パターン対応テーブルが格納されている。同図（Ａ）に示す操作対明滅パターン対応テーブルは、操作キー入力が「１」、「１」、「０」、「発信」の順であったときは、明滅パターン情報は「ＳＯＳ」であり、操作キー入力が「１」、「１」、「９」、「発信」の順であったときは、明滅パターン情報は「ＨＥＬＰ」であり、操作キー入力が「１」、「０」、「４」、「発信」の順であったときは、明滅パターン情報は「Ｉ　ＡＭ　ＨＥＲＥ」であることを示している。これらは、緊急発信電話番号１１０、１１９、１０４に対応した救難情報の文字列を示している。
【００２０】
また、上記の操作対明滅パターン対応テーブルは、操作キー入力情報が「０４５９３２１１０１発信」のときは、明滅パターン情報は「ＳＯＳ」であることも記憶している。この操作キー入力情報と明滅パターン情報とは、デフォルトで予め記憶されているものの他、操作者により任意に設定可能とされている。
【００２１】
また、制御部１２に内蔵されたメモリには、撮像補助光源１７の明滅処理を停止するための特定の停止操作定義ファイルも格納されている。図２（Ｂ）はこの停止操作定義ファイルの一例を示す。ここでは、数字キー「９」を４回続けて押下した後、発信キーを押下することで停止操作することを示している。
【００２２】
また、制御部１２に内蔵されたメモリには、明滅パターン情報中のアルファベットに対応した明滅情報の符号テーブルが記憶されている。図３はこの明滅情報の符号の一例を示す。図３はアルファベットに対応したモールス符号の例を示し、短点が短期間の点灯、長点（短点の３倍）が長期間の点灯を示す。従って、例えば「Ａ」の明滅パターンは、短期間の１回の点灯の後、一旦消灯し、続いて長期間１回の点灯であることになる。なお、文字と文字との間隔は３短点長の消灯期間、語と語の間隔は７又は５短点長の消灯期間により表される。
【００２３】
次に、本実施の形態について、図１乃至図６と共に説明する。図１の制御部１２は、発信操作により補助光源明滅用の特定キーの押下後、何らかのキー操作が行われたかどうか判定する（図４のステップＳ１）。特定キーが押下されず、他のキーだけが押下された場合は、制御部１２は従来の発信手続に従った動作を行うが、特定キーが押下された後、他のキーが押下されたときは、補助光源明滅処理を行う（図４のステップＳ２）。
【００２４】
このステップＳ２の補助光源明滅処理について更に詳細に図５のフローチャートと共に説明する。まず、制御部１２は、特定のキー押下後の各キー入力パターンで、内蔵のメモリの図２（Ａ）に示した操作対明滅パターン対応テーブルを参照し、キー入力パターンに対応した明滅パターン情報を読み出し、その明滅パターン情報の各語に対応した符号列（符号パターンの組合せ）を、図３に示した明滅情報の符号テーブルから取得する（図５のステップＳ２１）。
【００２５】
続いて、制御部１２は、上記の符号列に基づき、撮影補助光源１７を駆動制御し、符号列に応じた明滅を行わせる（図５のステップＳ２２）。これにより、例えば、特定キー押下後に「１」の数字キーが２回、「０」の数字キーが１回、「発信」キーが１回順番に押下されたとき（すなわち、１１０番の緊急発信操作が行われたとき）には、図２及び図３に示したテーブルの参照に基づき、図６に示すような明滅が行われる。
【００２６】
ここで、図６中、ハイレベルが点灯期間、ローレベルが消灯期間を示しており、短期間の点灯が３回（これはモールス符号で「Ｓ」を示す）行われた後、１長点に相当する期間消灯し、続いて長期間の点灯が３回（これはモールス符号で「Ｏ」を示す）行われた後、１長点に相当する期間消灯し、続いて短期間の点灯が３回（これはモールス符号で「Ｓ」を示す）行われる。以下、上記の明滅パターンを１周期としてこの明滅パターンが繰り返し行われる。すなわち、この場合、撮影補助光源１７による明滅により、「ＳＯＳ」が送信される。
【００２７】
また、例えば、特定キー押下後に「１」の数字キーが２回、「９」の数字キーが１回、「発信」キーが１回順番に押下されたとき（すなわち、１１９番の緊急発信操作が行われたとき）には、図２及び図３に示したテーブルの参照に基づき、制御部１２は撮影補助光源１７により、モールス符号で「ＨＥＬＰ」を示す明滅を行わせる。
【００２８】
続いて、制御部１２は操作部１５からの停止操作があるかどうか判定し（図５のステップＳ２３）、停止操作があるまでは上記の明滅を繰り返し、停止操作があれば明滅処理を終了する。上記の停止操作は、図２（Ｂ）に示した停止操作定義ファイルに示すキー入力があったときに行われる。
【００２９】
なお、停止のための操作は、装置電源オフ操作でも行えるようにしてもよく、あるいは、操作部１５によるキー入力では明滅の停止が行えないようにし、装置電源オフでのみしか行えないようにしてもよい。
【００３０】
このように、本実施の形態によれば、カメラ付き携帯電話装置に一般に付加されている撮影補助光源１７を利用して、発信操作入力に対応した情報を光により送信することができるため、夜間の山岳遭難時に、救助者に対して遭難者の存在位置の特定を行えることは勿論のこと、声や警報音を発信できないような状況下での事件に遭遇した場合、あるいは緊急通報するまでもないが、援助が必要なことを特定の対象者にのみ要請したい場合に、周囲の人間に悟られることなく、特定の対象者のみに緊急通報や援助要請を内容を含めて送信することができる。
【００３１】
また、通話圏外あるいは無線部、モデム、コーデック１１の停止状態時でも、所望の情報を撮影補助光源１７の明滅により送信することができる。なお、この場合は、特定の操作により開始された特定の組合せ送信（発光）を有効とするプログラムを制御部１２内のメモリに格納する必要がある。
【００３２】
なお、本発明は上記の実施の形態に限定されるものではなく、例えば、上記の緊急発信操作以外に、操作者が任意に定めた電話番号への発信操作でも、撮影補助光源１７による明滅により、操作者が予め定めた内容の情報を送信することができる。
【００３３】
また、制御部１２の内蔵メモリに、撮影補助光源１７の明滅パターンの内容を設定する操作に対応するプログラム及び設定内容を記憶するエリアを有し、また操作者が設定したパターンで撮影補助光源１７を明滅させるための操作に対応するプログラム及び明滅制御プログラムを有するようにしてもよい。また、明滅パターンはモールス符号によるものに限らず、他の公知の電信符号によるもの、あるいは予め任意に定めたものであってもよい。
【００３４】
【発明の効果】
以上説明したように、本発明によれば、特定の発信操作を行うと、その特定の発信操作入力情報に対応した内容の情報を、撮影補助光源の明滅により送信するようにしたため、例えば夜間の山岳遭難時に、救助者に対して遭難者の存在位置の特定を行えることは勿論のこと、声や警報音を発信できないような状況下での事件に遭遇した場合、あるいは緊急通報するまでもないが、援助が必要なことを特定の対象者にのみ要請したい場合に、周囲の人間に悟られることなく、特定の対象者のみに緊急通報や援助要請を内容を含めて簡単な操作で送信することができる。
【００３５】
また、本発明によれば、任意に設定入力された発信電話番号に対応した文字列を、符号パターンの組合せを編集して生成することができ、その文字列を撮影補助光源により光で発信するようにしたため、通話圏外又は通信可能手段を持たない相手に対して、光で任意の電文を伝達することができる。
【図面の簡単な説明】
【図１】本発明の一実施の形態のブロック図である。
【図２】本発明における操作対明滅パターン対応テーブル及び停止操作定義ファイルの一例を示す図である。
【図３】本発明における明滅パターン符号テーブルの一例を示す図である。
【図４】本発明の動作説明用フローチャート（その１）である。
【図５】本発明の動作説明用フローチャート（その２）である。
【図６】本発明による明滅パターンの一例を示す図である。
【符号の説明】
１１　無線部、モデム、コーデック
１２　制御部
１３　マイク、レシーバ
１４　表示部
１５　操作部
１６　撮像部
１７　撮影補助光源
【図１】
2004088288.tif 000003
【図２】
2004088288.tif 000004
【図３】
2004088288.tif 000005
【図４】
2004088288.tif 000006
【図５】
2004088288.tif 000007
【図６】
2004088288.tif 000008